(57)【特許請求の範囲】
【請求項１】
第1の端末によって送信された会議室作成要求を受信するステップと、
前記会議室作成要求にしたがって会議室を作成するステップと、
前記第1の端末および第2の端末間の二者間音声チャネルをオン状態に保持しながら、前記第1の端末および前記会議室間の第1の音声チャネル、前記第2の端末および前記会議室間の第2の音声チャネル、ならびに、第3の端末および前記会議室間の第3の音声チャネルを確立し、開始するステップと、前記第1の音声チャネルおよび前記第2の音声チャネルを同時に開始した後に、前記二者間音声チャネルを解除するステップと、
を含み、
前記第1の端末および前記会議室間の第1の音声チャネル、前記第2の端末および前記会議室間の第2の音声チャネル、ならびに、前記第3の端末および前記会議室間の第3の音声チャネルを確立し、開始するステップが、
前記第1の端末および前記会議室間の前記第1の音声チャネルを確立し、前記第3の端末および前記会議室間の前記第3の音声チャネルを確立し、前記第3の音声チャネルをオフ状態に保持するステップと、
前記二者間音声チャネルを解除するステップの後に、前記第3の音声チャネルを開始するステップと、
を含むことを特徴とする二者間呼の会議への移行をシームレスに実施する方法。
【請求項２】
前記第1の端末によって送信された前記会議室作成要求を受信するステップの後であって、前記会議室作成要求にしたがって前記会議室を作成するステップの前に、前記方法は、さらに、
前記会議室作成要求内の前記第1の端末の識別にしたがって前記第1の端末の認証を実行し、前記認証がパスした場合、前記会議室作成要求にしたがって前記会議室を作成する動作の実行をトリガするステップを含む、請求項1に記載の二者間呼の会議への移行をシームレスに実施する方法。
【請求項３】
前記会議室作成要求内の前記第1の端末の識別にしたがって前記第1の端末の認証を実行する処理が、
前記第1の端末が携帯電話である場合、前記会議室作成要求内の前記第1の端末の携帯電話番号にしたがって前記第1の端末の認証を実行するステップと、
前記第1の端末がパーソナルコンピュータである場合、前記会議室作成要求内の前記第1の端末のIPアドレスにしたがって前記第1の端末の認証を実行するステップと、
を含む、請求項2に記載の二者間呼の会議への移行をシームレスに実施する方法。
【請求項４】
前記第1の端末および前記会議室間の第1の音声チャネルを確立する処理が、
前記会議室が正常に作成されたことについての応答情報を前記第1の端末に送信するステップであって、前記応答情報が、前記会議室の会議室識別子を具備する、ステップと、
前記応答情報にしたがって前記第1の端末によって返された返信情報を受信し、前記返信情報にしたがって前記第1の端末および前記会議室間の前記第1の音声チャネルを確立するステップと、
を含む、請求項1に記載の二者間呼の会議への移行をシームレスに実施する方法。
【請求項５】
前記二者間音声チャネルを解除するステップの後、前記方法が、さらに、
前記第1の端末に、解除コマンドにしたがって前記第1の端末および前記第2の端末間の呼レッグを解除するように指示するために、前記解除コマンドを前記第1の端末に送信するステップを含む、請求項1に記載の二者間呼の会議への移行をシームレスに実施する方法。
【請求項６】
前記第1の端末および前記会議室間の第1の音声チャネル、前記第2の端末および前記会議室間の第2の音声チャネル、ならびに、前記第3の端末および前記会議室間の第3の音声チャネルを確立し、開始するステップが、
前記第1の端末および前記会議室間の前記第1の音声チャネルを確立し、前記第3の端末および前記会議室間の前記第3の音声チャネルを確立し、前記第3の音声チャネルをオフ状態に保持するステップと、
前記二者間音声チャネルを解除した後、前記第3の音声チャネルを開始するステップと、
を含む、請求項1から3のいずれか一項に記載の二者間呼の会議への移行をシームレスに実施する方法。
【請求項７】
第1の端末によって送信された会議室作成要求を受信する要求受信モジュールと、
前記会議室作成要求にしたがって会議室を作成する会議室作成モジュールと、
前記第1の端末および第2の端末間の二者間音声チャネルをオン状態に保持しながら、前記第1の端末および前記会議室間の第1の音声チャネル、第3の端末および前記会議室間の第3の音声チャネル、ならびに、前記第2の端末および前記会議室間の第2の音声チャネルを確立し、開始するチャネル確立モジュールと、
前記第1の音声チャネルおよび前記第2の音声チャネルを同時に開始した後に、前記二者間音声チャネルを解除するチャネル解除モジュールと、
を備え、
チャネル確立モジュールが、さらに、
前記第3の音声チャネルをオフ状態に保持する閉鎖保持ユニットと、
前記二者間音声チャネルを解除した後、前記第3の音声チャネルを開始するチャネル開始ユニットと、
を備える、二者間呼の会議への移行をシームレスに実施する装置。
【請求項８】
前記会議室作成要求内の前記第1の端末の識別にしたがって前記第1の端末の認証を実行し、前記認証がパスした場合、前記会議室作成要求にしたがって前記会議室を作成する動作の実行をトリガする識別認証モジュールをさらに備える、請求項7に記載の二者間呼の会議への移行をシームレスに実施する装置。
【請求項９】
前記チャネル確立モジュールが、
前記第1の端末および前記会議室間の第1の音声チャネル、前記第2の端末および前記会議室間の第2の音声チャネル、ならびに、前記第3の端末および前記会議室間の第3の音声チャネルを確立し、開始する第1の確立ユニット、第2の確立ユニット、および第3の確立ユニットを備え、
前記第1の確立ユニットは、
前記会議室が正常に作成されたことについての応答情報を前記第1の端末に送信する情報通知サブユニットであって、前記応答情報は、前記会議室の会議室識別子を含む、情報通知サブユニットと、
前記応答情報にしたがって前記第1の端末によって返された返信情報を受信し、前記返信情報にしたがって前記第1の端末および前記会議室間の前記第1の音声チャネルを確立するチャネル確立サブユニットと、
を備える、請求項7に記載の二者間呼の会議への移行をシームレスに実施する装置。
【請求項１０】
前記第1の端末に、解除コマンドにしたがって前記第1の端末および前記第2の端末間の呼レッグを解除するように指示するために、前記解除コマンドを前記第1の端末に送信するコマンド送信モジュールをさらに備える、請求項7に記載の二者間呼の会議への移行をシームレスに実施する装置。
【発明の詳細な説明】
【技術分野】
【０００１】
本発明は、通信技術の分野に関し、具体的には、二者間呼（dual-party call）の会議(conference)への移行をシームレスに実施する方法および装置に関する。
【背景技術】
【０００２】
Voice Over IP、すなわちVoIP、サービスの急速な発展に伴い、Circuit Switched、すなわちCS、Domain、およびPacket Switched、すなわちPS、Domainに渡る呼、ならびに、Peer-to-Peer、すなわちP2P、呼などのサービスのためのアプリケーションの機会も、ますます多くなってきた。
【０００３】
二者間会話を多者間会議に移行することが必要なビジネスシナリオは、通常、VoIP会話にいる人々のプロセスで発生する。以下のようにいくつかの既存の実施モードが存在し、1つのモードは、クライアント多者間会話用の1つのローカルな会議室をクライアントで実施することであり、このようにして、二者間会話が、多者間会話に移行されるビジネスシナリオを実施する。別のモードは、2つのタイプの呼の会議への移行を手動で実施するために、既存の二者間呼を解除し、新しい会議室を作成し、関連する会議参加者を会議室に引き込むことである。
【０００４】
しかしながら、第1のモードでは、音声が端末でローカルに混合されるシナリオの下で、司会者が1人の会話を追加するたびに、ネットワーク上のより高い要求を端末でローカルに有するローカル帯域幅の1つの経路が追加されることになり、加えて、端末の1つの経路が追加されるたびに、音声混合コーデック処理の1つの経路が必要とされ、これは、即時性に対する高い要求を有するVoIPアプリケーションのためのより高いソフトウェア処理能力を有することを端末に要求し、したがって、端末で音声を混合する実施モードが適した機会を制限する。上記モードの最後は、現在の会話を遮断し、相手方および第三者に会議に参加するように招待するモードを再作成することを必要とし、結果として、現在の会話の中断を生じ、ユーザに極端な不便をもたらす。
【発明の概要】
【発明が解決しようとする課題】
【０００５】
本発明の実施形態は、第三者が、二者間会話に参加する必要がある場合、端末の負担を過度に追加すること、または、現在のセッションを中断することの欠点を回避するために、二者間呼の会議への移行をシームレスに実施する方法および装置を提供する。
【課題を解決するための手段】
【０００６】
本発明の一態様は、
第1の端末によって送信された会議室作成要求を受信するステップと、
会議室作成要求にしたがって会議室を作成するステップと、
第1の端末および第2の端末間の二者間音声チャネルをオン状態に保持しながら、第1の端末および会議室間の第1の音声チャネル、第2の端末および会議室間の第2の音声チャネル、ならびに、第3の端末および会議室間の第3の音声チャネルを確立し、開始し、第1の音声チャネルおよび第2の音声チャネルを同時に開始した後に、二者間音声チャネルを解除するステップと
を含む二者間呼の会議への移行をシームレスに実施する方法を提供する。
【０００７】
上記のような、二者間会話の会議への移行をシームレスに実施する方法では、好ましくは、第1の端末によって送信された会議室作成要求を受信するステップの後に、会議室作成要求にしたがって会議室を作成するステップの前に、方法が、さらに、
会議室作成要求内の第1の端末の識別にしたがって第1の端末の認証を実行し、認証がパスした場合、会議室作成要求にしたがって会議室を作成する動作の実行をトリガするステップを含む。
【０００８】
上記のような、二者間会話の会議への移行をシームレスに実施する方法では、好ましくは、会議室作成要求内の第1の端末の識別にしたがって第1の端末の認証を実行するステップは、
第1の端末が携帯電話である場合、会議室作成要求内の第1の端末の携帯電話番号にしたがって第1の端末の認証を実行するステップと、
第1の端末がパーソナルコンピュータである場合、会議室作成要求内の第1の端末のIPアドレスにしたがって第1の端末の認証を実行するステップと
を含む。
【０００９】
上記のような、二者間会話の会議への移行をシームレスに実施する方法では、好ましくは、第1の端末および会議室間の第1の音声チャネルを確立するステップが、
会議室が正常に作成されたことについての応答情報を第1の端末に送信するステップを含み、応答情報は、会議室の会議室識別子を含み、
第1の端末および会議室間の第1の音声チャネルを確立するステップが、さらに、応答情報にしたがって第1の端末によって返された返信情報を受信し、返信情報にしたがって第1の端末および会議室間の第1の音声チャネルを確立するステップを含む。
【００１０】
上記のような、二者間会話の会議への移行をシームレスに実施する方法では、好ましくは、第1の端末および会議室間の第1の音声チャネル、第2の端末および会議室間の第2の音声チャネル、ならびに、第3の端末および会議室間の第3の音声チャネルを確立し、開始するステップが、
第1の端末および会議室間の第1の音声チャネルを確立し、第3の端末および会議室間の第3の音声チャネルを確立し、第3の音声チャネルをオフ状態に保持するステップと、
二者間音声チャネルを解除した後、第3の音声チャネルを開始するステップと
を含む。
【００１１】
上記のような、二者間会話の会議への移行をシームレスに実施する方法では、好ましくは、二者間音声チャネルを解除するステップの後、方法は、さらに、
第1の端末に、解除コマンドにしたがって第1の端末および第2の端末間の呼レッグを解除するように指示するために、解除コマンドを第1の端末に送信するステップを含む。
【００１２】
本発明の別の態様は、
第1の端末によって送信された会議室作成要求を受信する要求受信モジュールと、
会議室作成要求にしたがって会議室を作成する会議室作成モジュールと、
第1の端末および第2の端末間の二者間音声チャネルをオン状態に保持しながら、それぞれ、第1の端末、第3の端末、ならびに第2の端末と、会議室との間の第1の音声チャネル、第3の音声チャネル、および第2の音声チャネルを確立し、開始するチャネル確立モジュールと、
第1の音声チャネルおよび第2の音声チャネルを同時に開始した後に、二者間音声チャネルを解除するチャネル解除モジュールと
を備える二者間呼の会議への移行をシームレスに実施する装置を提供する。
【００１３】
上記のような、二者間会話の会議への移行をシームレスに実施する装置では、好ましくは、装置が、さらに、
会議室作成要求内の第1の端末の識別にしたがって第1の端末の認証を実行し、認証がパスした場合、会議室作成要求にしたがって会議室を作成する動作の実行をトリガする識別認証モジュールを備える。
【００１４】
上記のような、二者間会話の会議への移行をシームレスに実施する装置では、好ましくは、チャネル確立モジュールが、
それぞれ、第1の端末、第2の端末、ならびに第3の端末と、会議室との間の第1の音声チャネル、第2の音声チャネル、および第3の音声チャネルを確立し、開始する第1の確立ユニット、第2の確立ユニット、および第3の確立ユニットを備え、第1の確立ユニットが、
会議室が正常に作成されたことについての応答情報を第1の端末に送信する情報通知サブユニットを備え、応答情報は、会議室の会議室識別子を含み、
第1の確立ユニットが、さらに、応答情報にしたがって第1の端末によって返された返信情報を受信し、返信情報にしたがって第1の端末および会議室間の第1の音声チャネルを確立するチャネル確立サブユニットを備える。
【００１５】
上記のような、二者間会話の会議への移行をシームレスに実施する装置では、好ましくは、チャネル確立モジュールが、さらに、
第3の音声チャネルをオフ状態に保持する閉鎖保持ユニットと、
二者間音声チャネルを解除した後、第3の音声チャネルを開始するチャネル開始ユニットと
を備える。
【００１６】
上記のような、二者間会話の会議への移行をシームレスに実施する装置では、好ましくは、装置が、さらに、
第1の端末に、解除コマンドにしたがって第1の端末および第2の端末間の呼レッグを解除するように指示するために、解除コマンドを第1の端末に送信するコマンド送信モジュールを備える。
【００１７】
本発明の二者間会話の会議への移行をシームレスに実施する方法および装置によれば、二者間呼を、現在の会話の中断を回避する状態で、三者間会議に移行することができる。
【００１８】
本発明の実施形態または従来技術の技術的解決法をより明確に説明するために、実施形態または従来技術の説明で使用する必要がある添付図面を、いかに簡単に紹介する。明らかに、以下の説明での添付図面は、単に本発明のいくつかの実施形態であり、当業者にとって、他の添付図面も、いかなる創造的作業にも寄与することなく、これらの添付図面にしたがって得ることができる。
【図面の簡単な説明】
【００１９】
【図１】本発明の一実施形態による二者間会話の会議への移行をシームレスに実施する方法のフローチャート図である。
【図２】本発明の別の実施形態による二者間会話の会議への移行をシームレスに実施する装置の構造図である。
【図３】本発明の別の実施形態による二者間会話の会議への移行をシームレスに実施する装置の構造図である。
【図４】本発明の別の実施形態による二者間会話の会議への移行をシームレスに実施する装置の構造図である。
【図５】本発明の別の実施形態による二者間会話の会議への移行をシームレスに実施する装置の構造図である。
【発明を実施するための形態】
【００２０】
本発明の実施形態の目的、技術的解決法、および利点をより明確にするために、本発明の実施形態での技術的解決法を、本発明の実施形態での添付図面と併せて、以下に明確かつ完全に説明する。明らかに、説明される実施形態は、すべての実施形態ではなく、本発明の実施形態の一部である。本発明の実施形態に基づいて、創造的な作業が当業者によってなされない前提で得られるすべての他の実施形態は、本発明によって保護される範囲に属する。単に、本発明の実施形態の目的を説明するのを便宜的かつ明確に助けるために使用されるすべての添付図面は、非常に単純な形式を使用し、不正確な比率を使用することが示されるべきである。
【００２１】
［実施形態1］
本発明の実施形態は、二者間会話の会議への移行をシームレスに実施する方法を提供する。二者間会話の会議への移行をシームレスに実施する方法は、Session Initiation Protocol、SIPベースの会議システムに適している。SIPは、アプリケーション層の制御プロトコルであり、セッションを開始するために使用される。SIPは、複数の参加者が参加するマルチメディアセッションの確立および終了を制御することができ、セッションの属性を動的に調整および変更することができる。二者間会話中に三者またはさらに多くの参加者の会議に移行する必要がある場合、SIPベースの会議システムは、シームレスな移行、すなわち、会議システムを介して1つの会議室を確立すること、会話中の二者を会議室にシームレスに切り替えること、および、第三者を会議室に参加させることを実施するために使用されうる。会議システムは、Conference Application Service略してConference AS、およびContrex Application Service略してContrex ASを含み、Conference ASは、会議室作成要求にしたがって会議室を作成するために使用され、会議に参加する様々な端末が、それら自身のメディアストリームをContrex ASに送信し、Contrex ASは、混合された音声およびマルチメディアストリームを転送する役割を果す。様々な端末は、セッションを開始することができるだけでなく、セッションを受け入れることもでき、セッションに応答することもできる。
【００２２】
図1に示すように、本実施形態による二者間会話の会議への移行をシームレスに実施する方法のフローチャート図が示されている。
【００２３】
ステップ101では、第1の端末によって送信される会議室作成要求を受信する。
【００２４】
ステップ101での会議室は、会議室制御ユニットを参照し、会議システムで作成されうる。会議室制御ユニットは、同期分離された後、様々な端末の情報ストリームからオーディオ、ビデオ、データ、などの情報およびシグナリングを抽出することができ、次に、対応するオーディオ混合または切り替え、ビデオ混合または切り替え、データ放送およびルート選択、ならびに、タイミングおよび会議制御、などのプロセスを完了するために、会議の様々なフィールド点の情報およびシグナリングを、同じ処理モジュールに送信することができ、最後に、様々な端末によって必要とされる様々な情報を再結合し、結合された情報を、様々な端末の対応するシステムデバイスに送信することができる。第１の端末は会話中の二者のいかなる当事者であってもよく、すなわち発呼者または被呼者であってよい。以下では、第1の端末と会話している相手は、第2の端末である。会議室作成要求は、第1の端末のための会議室を確立するようにConference ASに要求するための要求である。
【００２５】
ステップ102では、会議室作成要求にしたがって会議室を作成する。
【００２６】
会議室作成要求を受信した後、対応する会議室が、会議室作成要求内の情報にしたがって作成される、すなわち、対応する会議室制御ユニットを確立する。
【００２７】
ステップ103では、第1の端末および第2の端末間の二者間音声チャネルをオン状態に保持しながら、第1の端末、第3の端末、および第2の端末と、会議室とのそれぞれの間に、第1の音声チャネル、第3の音声チャネル、および第2の音声チャネルを確立し、開始し、第1の音声チャネルおよび第2の音声チャネルを同時に開始した後に、二者間音声チャネルを解除する。
【００２８】
会議室への第1の音声チャネルは、第1の端末および会議室制御ユニット間に確立される音声チャネルであり、音声チャネルを介して、音声情報は、第1の端末から受信され、または、音声情報は、第1の端末に送信され、第2の音声チャネルおよび第3の音声チャネルについても成り立つ。第1の端末および第2の端末間の二者間音声チャネルが、第1の端末および第2の端末間の直接的な音声チャネルである限り、二者は、転送なしで直接音声チャネルを介して相手の情報を受信することができる。音声チャネルの開通は、ユーザが会議室に接続された端末を介して言ったことを、他の端末によって聞くことができ、他のユーザが会議室に接続された他の端末を介して言ったことを端末が聞くこともできることを意味する。一方、チャネルの閉鎖は、会議室の他の端末が、音声チャネルが閉じられているために、端末のユーザが言ったことを聞くことができず、一方、端末ユーザが言ったことを他の端末によって聞くことができないことを意味する。第1の音声チャネルおよび第2の音声チャネルを同時に開始することは、第1の端末および第2の端末間の音声通信が中断されないことを保証することができる。
【００２９】
加えて、第1の音声チャネル、第2の音声チャネル、および第3の音声チャネルを確立する順序は、限定されず、ランダムであってよく、一方、第1の音声チャネル、第2の音声チャネル、および第3の音声チャネルを開始する順序も、限定されず、ランダムであってよい。
【００３０】
この時点で、第1の端末および第2の端末間の音声通信は、停止されず、すなわち、第1の端末および第2の端末は、会話を保ち続けることが特に指摘されるべきである。この動作は、SIPプロトコルでREINVEINT要求によって実施されてよい。
【００３１】
本発明による二者間会話の会議への移行をシームレスに実施する方法によれば、会議室を確立した後、第1の音声チャネル、第3の音声チャネル、および第2の音声チャネルを確立しながら、第1の端末および第2の端末間の二者間音声チャネルは、中断されず、すなわち、第1の端末および第2の端末間の会話は、続行し、二者間音声チャネルは、第2の音声チャネルを開始した後、解除される。すべての動作は、バックグラウンド動作であり、非常に短い時間を消費し、第2の端末は、それ自身の音声チャネルが会議室への第2の音声チャネルに移行されたことを知ることはなく、したがって、二者間会話の会議へのシームレスな切り替えを実現する。
【００３２】
［実施形態2］
本実施形態は、二者間会話の会議への移行をシームレスに実施する方法のさらなる改善である。
【００３３】
本実施形態では、ステップ101の後、ステップ102の前、すなわち、第1の端末によって送信された会議室作成要求を受信した後、会議室作成要求にしたがって会議室を作成する前に、以下のステップ、すなわち、
会議室作成要求内の第1の端末の識別にしたがって第1の端末の認証を実行し、認証がパスした場合、会議室作成要求にしたがって会議室を作成する動作の実行をトリガするステップが含まれる。
【００３４】
第1の端末の識別は、第1の端末の番号および/または第1の端末のユーザ名、などを含むことができる。例えば、第1の端末が携帯電話である場合、第1の端末の番号は、第1の端末を使用する所有者の名前にすることができるが、同名の人が実生活でいる場合があるため、第1の端末の番号は、好ましくは、携帯電話番号である。第1の端末がパーソナルコンピュータ、PCである場合、認証は、第1の端末のInternet Protocol、すなわちIP、アドレスにしたがって実行されてよい。
【００３５】
本実施形態では、第1の端末の識別に認証を行い、次に、認証がパスした場合、後続の処理を行うことによって、違法の端末または悪意のある端末が違法な会議室を作成するのを回避することができ、これは、会議システムへの過剰な負荷を回避する。
【００３６】
［実施形態3］
本実施形態では、上記実施形態は、さらに定義される。
【００３７】
本実施形態は、単に、ステップ103をさらに定義し、すべての他のステップは、上記実施形態のものと一致し、本明細書ではさらに説明しない。
【００３８】
ステップ103では、第1の端末および会議室間の第1の音声チャネルを確立するステップは、
会議室が正常に作成されたことについての応答情報を第1の端末に送信するステップ1031を含み、応答情報は、会議室の会議室識別子を含む。
【００３９】
具体的には、SIPプロトコルで200OKの応答情報を第1の端末に返すことによって、会議室が作成されたことを、第1の端末に通知することができる。応答情報を受信した後、第1の端末は、応答情報内の会議室識別子、例えば、SIPプロトコルで発呼者からのものであるヘッド領域を介して、自身のために確立された会議室かどうかを判定し、そうであれば、デフォルトではバックグラウンドで聞き、返信情報を返す。
【００４０】
ステップ1032では、応答情報にしたがって第1の端末によって返された返信情報を受信し、返信情報にしたがって第1の端末および会議室間の第1の音声チャネルを確立する。
【００４１】
本実施形態の二者間会話の会議への移行をシームレスに実施する方法によれば、会議室が正常に作成されたことについての応答情報を第1の端末に返し、次に、第1の端末が、応答情報にしたがって返信情報を返し、次に、第1の端末および会議室間のチャネルを確立することによって、第1の端末は、これ以上他の手動モードによって会議室に入ることなく、要求を主導することによって自身によって作成された会議室に直接接続することができ、すなわち、接続動作は、バックグラウンドで完了し、第1の端末は、手動で動作される必要がなく、これは、非常に便利である。
【００４２】
［実施形態4］
本実施形態4は、上記実施形態の二者間会話の会議への移行をシームレスに実施する方法をさらに定義する。
【００４３】
本実施形態は、単に、ステップ103での、第1の端末および第2の端末間の二者間音声チャネルをオン状態に保持しながら、第1の端末、第3の端末、および第2の端末と、会議室とのそれぞれの間に、第1の音声チャネル、第3の音声チャネル、および第2の音声チャネルを確立し、開始することをさらに定義し、すべての他のステップは、上記実施形態のものと一致し、本明細書でさらに説明されない。
【００４４】
本実施形態では、第1の端末および第2の端末間の二者間音声チャネルをオン状態に保持しながら、第1の端末、第3の端末、および第2の端末と、会議室とのそれぞれの間に、第1の音声チャネル、第3の音声チャネル、および第2の音声チャネルを確立し、開始するステップは、
第1の端末および会議室間の第1の音声チャネルを確立し、第3の端末および会議室間の第3の音声チャネルを確立し、第3の音声チャネルをオフ状態に保持するステップと、
二者間音声チャネルを解除した後、第3の音声チャネルを開始するステップと
を含む。
【００４５】
具体的には、第1の音声チャネルおよび第3の音声チャネルを確立した後、確立情報を第1の端末に送信することができ、第1の端末は、確立情報を受信した後、第2の端末を会議室に参加させるために、第2の端末を会議室に参加するように招待するための招待情報を送信する。招待は、SIPプロトコルベースのINVITE要求であってよく、INVITE要求を受信した後、第2の端末は、第1の端末にINVITE要求が受信されたことを通知するために、ACK要求で返信することができる。もちろん、第2の端末が要求に参加したくない場合、ACK要求の代わりに、BYE要求を送信する。第1の端末は、上記要求に基づいて、第3の端末に会議室に参加するように要求することもできる。加えて、第1の端末は、SIPプロトコルベースのREFERメッセージをContrex ASに送信することもでき、REFERメッセージを受信した後、Contrex ASは、最初に、第2の音声チャネルを作成するために、SIPプロトコルベースのINVITE要求をConference ASに送信し、Conference ASは、会議室のセッション記述プロトコル(Session Description Protocol)、SDPを担持するSIPプロトコルベースの200OKをContrex ASに返し、次に、Contrex ASは、SIPプロトコルベースのREINVITE要求を介して、会議室のSDPを第2の端末に送信し、REINVITE要求を受信した後、第2の端末は、会議室に参加するためのREINVITE要求を受信した後、SIPプロトコルベースの200OKメッセージをContrex ASに送信することができる。
【００４６】
オプションとして、二者間音声チャネルを解除した後、以下のステップ、すなわち、
解除コマンドにしたがって第1の端末および第2の端末間の呼レッグを解除するように第1の端末に指示するために、解除コマンドを第1の端末に送信するステップが、さらに含まれる。したがって、ネットワークの負担を軽減するために、これ以上使用することを必要とされない呼レッグを解除することができる。呼レッグは、ここでは、第1の端末および第2の端末間である時間持続するピアツーピアSIP関係である。
【００４７】
本実施形態によれば、第3の音声チャネルは、二者間チャネルを解除する前には開かれず、すなわち、第3の端末を使用するユーザによって第1の端末を使用するユーザに生じる影響を回避するため、第3の端末を使用するユーザは、第1の端末を使用するユーザの言葉を聞くことができず、第1の端末を使用するユーザも、第3の端末を使用するユーザの言葉を聞くことができない。
【００４８】
［実施形態5］
本実施形態は、実施形態1の二者間会話の会議への移行をシームレスに実施する方法を実施するために使用することができる、二者間会話の会議への移行をシームレスに実施する装置を提供する。図2に示すように、本実施形態による二者間会話の会議への移行をシームレスに実施する装置の構造図が示される。
【００４９】
二者間会話の会議への移行をシームレスに実施する装置は、要求受信モジュール201、会議室作成モジュール202、チャネル確立モジュール203、およびチャネル解除モジュール204を備える。
【００５０】
要求受信モジュール201は、第1の端末230に接続され、第1の端末230によって送信された会議室作成要求を受信するために使用され、会議室作成モジュール202は、要求受信モジュール201に接続され、会議室作成要求にしたがって会議室を作成するために使用され、チャネル確立モジュール203は、第1の端末230および第2の端末231間の二者間音声チャネルをオン状態に保持しながら、第1の端末230、第3の端末232、および第2の端末231と、会議室とのそれぞれの間に、第1の音声チャネル、第3の音声チャネル、および第2の音声チャネルを確立し、開始するために使用され、すなわち、会議室作成モジュール202が会議室を作成したことを確認した後、または、会議室作成モジュール202によって送信された、会議室が作成されていることについての情報を受信した後、第1の音声チャネル、第2の音声チャネル、および第3の音声チャネルを、それぞれ確立し、開始し、チャネル解除モジュール204は、第1の音声チャネルおよび第2の音声チャネルを同時に開始した後に、二者間音声チャネルを解除するために使用される。
【００５１】
本実施形態の二者間会話の会議への移行をシームレスに実施する装置によれば、会議室を確立した後、第1の音声チャネル、第3の音声チャネル、および第2の音声チャネルを確立しながら、第1の端末230および第2の端末231間の二者間音声チャネルは、中断されず、すなわち、第1の端末230および第2の端末231間の会話は、続行し、二者間音声チャネルは、第2の音声チャネルを開始した後、解除される。すべての動作は、バックグラウンド動作であり、非常に短い時間を消費し、第2の端末231は、それ自身の音声チャネルが会議室への第2の音声チャネルに移行されたことを知ることはなく、第1の音声チャネルおよび第2の音声チャネルは、同時に開始されるため、第1の端末230および第2の端末231間の音声通信の連続性は、保証され、したがって、二者間会話の会議へのシームレスな切り替えを実施する。
【００５２】
［実施形態6］
本実施形態は、実施形態5の二者間会話の会議への移行をシームレスに実施する装置をさらに定義する。
【００５３】
図3に示すように、本実施形態による二者間会話の会議への移行をシームレスに実施する装置の構造図が示される。
【００５４】
本実施形態での二者間会話の会議への移行をシームレスに実施する装置は、さらに、識別認証モジュール301を備え、すべての他のモジュールは、実施形態5のものと一致し、本明細書ではさらに説明しない。
【００５５】
識別認証モジュール301は、会議室作成要求内の第1の端末230の識別にしたがって第1の端末230の認証を実行し、認証がパスした場合、会議室作成要求にしたがって会議室を作成する動作の実行をトリガするために使用される。第1の端末230の識別は、第1の端末230の番号、および/または第1の端末230のユーザ名、などを含むことができる。
【００５６】
本実施形態では、第1の端末230の識別に認証を行い、次に、認証がパスした場合、後続の処理を行う識別認証モジュール301によって、違法の端末または悪意のある端末が違法な会議室を作成するのを回避することができ、これは、二者間会話の会議への移行をシームレスに実施する装置への過剰な負荷を回避する。
【００５７】
［実施形態7］
本実施形態7は、上記実施形態をさらに定義する。
【００５８】
図4に示すように、本実施形態による二者間会話の会議への移行をシームレスに実施する装置の構造図が示される。本実施形態は、単に、チャネル確立モジュール203を定義し、すべての他の構造は、上記実施形態のものと一致し、本明細書ではさらに説明しない。
【００５９】
本実施形態でのチャネル確立モジュール203は、それぞれ、第1の端末230、第2の端末231、および第3の端末232と、会議室との間の第1の音声チャネル、第2の音声チャネル、および第3の音声チャネルを確立し、開始する第1の確立ユニット440、第2の確立ユニット441、および第3の確立ユニット442を備える。
【００６０】
ここで、第1の確立ユニット440は、情報通知サブユニット451およびチャネル確立サブユニット452を備える。
【００６１】
情報通知サブユニット451は、会議室が正常に作成されたことについての応答情報を第1の端末230に送信するために使用され、ここで、応答情報は、会議室の会議室識別子を含み、チャネル確立サブユニット452は、応答情報にしたがって第1の端末230によって返された返信情報を受信し、返信情報にしたがって第1の端末230および会議室間の第1の音声チャネルを作成するために使用される。
【００６２】
本実施形態の二者間会話の会議への移行をシームレスに実施する装置によれば、会議室が正常に作成されたことについての応答情報を第1の端末230に返し、次に、第1の端末230が、応答情報にしたがって返信情報を返すことによって、第1の端末230は、いつ自身が会議室に接続されるかを決定することができ、すなわち、第1の端末230は、第1の端末230自身および第2の端末231間の会話に第3の端末232を参加させるときを決定するために、いつ返信情報が自身によって返されるかを設定することができる。
【００６３】
［実施形態8］
本実施形態は、上記実施形態の二者間会話の会議への移行をシームレスに実施する装置をさらに定義する。
【００６４】
図5に示すように、本実施形態による二者間会話の会議への移行をシームレスに実施する装置の構造図が示される。本実施形態は、単に、チャネル確立モジュール203をさらに定義し、すべての他の構造は、上記実施形態のものと一致し、本明細書ではさらに説明しない。
【００６５】
本実施形態のチャネル確立モジュール203は、閉鎖保持ユニット501およびチャネル開始ユニット502を備える。
【００６６】
ここで、閉鎖保持ユニット501は、第3の音声チャネルをオフ状態に保持するために使用され、チャネル開始ユニット502は、二者間音声チャネルを解除した後、第3の音声チャネルを開始するために使用される。
【００６７】
オプションとして、本実施形態の二者間会話の会議への移行をシームレスに実施する装置は、コマンド送信モジュール503をさらに備える。コマンド送信モジュール503は、第1の端末230に、解除コマンドにしたがって第1の端末230および第2の端末231間の呼レッグを解除するように指示するために、解除コマンドを第1の端末230に送信するために使用される。
【００６８】
本実施形態によれば、第3の音声チャネルは、二者間チャネルを解除する前には開かれず、すなわち、第3の端末232を使用するユーザによって第1の端末230を使用するユーザに生じる影響を回避するため、第3の端末232を使用するユーザは、第1の端末230を使用するユーザの言葉を聞くことができず、第1の端末230を使用するユーザも、第3の端末232を使用するユーザの言葉を聞くことができない。
【００６９】
当業者は、上記方法の実施形態を実施するステップの全部または一部が、関連するハードウェアに命令するプログラムによって実施されてよいことを理解することができる。上記プログラムは、1つのコンピュータ可読記憶媒体に記憶されてよく、プログラムは、実施されると上記方法の実施形態を含むステップを実施し、上記記憶媒体は、ROM、RAM、ディスク、などの、プログラムコードを記憶することができる様々な媒体を含む。
【００７０】
最後に、上記実施形態は、本発明を制限する代わりに、単に本発明の技術的解決法を例示するために使用されるにすぎないことが示されるべきであり、本発明は、上記実施形態を参照して詳細に説明されているが、当業者は、依然として、上記の様々な実施形態に記載の技術的解決法を修正することができ、または、その中の技術的特徴の一部に等価の置換を行うことができることを理解すべきであり、これらの修正または置換は、対応する技術的解決法の本質を、本発明の様々な実施形態の技術的解決法の範囲から逸脱させない。
【符号の説明】
【００７１】
201  要求受信モジュール
202  会議室作成モジュール
203  チャネル確立モジュール
204  チャネル解除モジュール
230  第1の端末
231  第2の端末
232  第3の端末
301  識別認証モジュール
440  第1の確立ユニット
441  第2の確立ユニット
442  第3の確立ユニット
451  情報通知サブユニット
452  チャネル確立サブユニット
501  閉鎖保持ユニット
502  チャネル開始ユニット
503  コマンド送信モジュール
【図１】
0005811480.tif 000002
【図２】
0005811480.tif 000003
【図３】
0005811480.tif 000004
【図４】
0005811480.tif 000005
【図５】
0005811480.tif 000006